(57)【要約】【課題】天然芝に近似した良好な風合いを有し、人工芝生表面の温度上昇が少なく、競技者の疲労感が少なく、衝撃吸収性の低下が少ないうえに軟質粒体の流出等を防止できて競技者の受ける感触の変化の少ない粒体入り人工芝生とその製造方法を提供する。【解決手段】素材および／または断面形状の異なる２種以上のパイル糸が基材に植設され、パイル間に硬質粒体と軟質粒体とが充填されており、前記パイルは充填された粒体から突き出しており、粒体から突き出した部分が湾曲あるいは屈曲しているパイルと直立状のパイルとが混在しており、かつ、前記湾曲あるいは屈曲しているパイルのＬ値を２５〜６０の範囲内にある粒体入り人工芝生。【選択図】  なし【特許請求の範囲】
【請求項１】
素材および／または断面形状の異なる２種以上のパイルが基材に植設され、パイル間に硬質粒体と軟質粒体とが充填されており、前記パイルは充填された粒体から突き出しており、粒体から突き出した部分が湾曲あるいは屈曲しているパイルと直立状のパイルとが混在しており、かつ、前記湾曲あるいは屈曲しているパイルのＬ値が２５〜６０の範囲内にある、粒体入り人工芝生。
【請求項２】
湾曲あるいは屈曲しているパイルのＬ値が４０〜６０の範囲内にある、請求項１に記載の粒体入り人工芝生。
【請求項３】
粒体から突き出している部分のパイルの長さが１０〜４０ｍｍの範囲内にある、請求項１または２に記載の粒体入り人工芝生。
【請求項４】
湾曲あるいは屈曲しているパイルの粒体から突き出している部分のパイルの高さが、粒体から突き出している部分のパイルの長さに対して６０％以下である、請求項１〜３に記載の粒体入り人工芝生。
【請求項５】
湾曲あるいは屈曲しているパイルの断面形状が扁平状であり、かつ、厚みが６０〜１３０μｍの範囲内にある、請求項１〜４に記載の粒体入り人工芝生。
【請求項６】
湾曲あるいは屈曲しているパイルの素材がポリエチレン系樹脂、ポリプロピレン系樹脂、塩化ビニリデン樹脂、またはそれらの混合物である、請求項１〜５に記載の粒体入り人工芝生。
【請求項７】
直立状のパイルの素材がポリアミド系樹脂である、請求項１〜６に記載の粒体入り人工芝生。
【請求項８】
直立状のパイルが表面に凹凸を有するものである、請求項１〜７に記載の粒体入り人工芝生。
【請求項９】
粒体入り人工芝生の上部から加圧することにより、パイルを湾曲あるいは屈曲させる、粒体入り人工芝生の製造方法。
【請求項１０】
請求項１〜８のいずれかに記載の粒体入り人工芝生、または、請求項９に記載の粒体入り人工芝生の製造方法によって製造された粒体入り人工芝生を敷設してなる運動施設。
【発明の詳細な説明】
【０００１】
【発明の属する技術分野】
本発明は、テニス、サッカー、野球、ラグビー、ホッケー、フットサル、アメリカンフットボール、陸上競技等の運動施設に敷設して用いるのに好適な粒体入り人工芝生に関する。
【０００２】
【従来の技術】
よく知られているように、サッカーや野球等の運動施設に人工芝生が用いられている。なかでも、天然芝生に近い人工芝生が得られることから、基材に植設されたパイル間に粒体を充填してなる、一般に砂入り人工芝生と呼ばれる粒体入り人工芝生が多用されている。
【０００３】
そのような粒体入り人工芝生は、珪砂等の硬質粒体を充填してなるものが主であるが、衝撃吸収性に優れていて競技者がけがをしにくいという理由から、古タイヤなどを粉砕し再生して用いられるゴムチップ等の軟質粒体を充填してなるものが多く用いれている。また、近年では、重量があるために下地基盤に接着する必要がなく、施工が容易な硬質粒体を充填してなるものの長所と、衝撃吸収性が良好な軟質粒体を用いたものの長所とをあわせて発現することができるという理由で、硬質粒体と軟質粒体とを併用して用いるものが注目されている。
【０００４】
しかしながら、ゴムチップなどの軟質粒体を充填した粒体入り人工芝生は、衝撃吸収性が良好な反面、古タイヤなどを粉砕してなる黒色のゴムチップを充填しているため、直射日光により粒体入り人工芝生の表面温度が上昇し、これにより気温が上昇するため、激しいプレーを伴うサッカーやラグビーなどの競技に用いた場合に競技者に疲労を与えやすいという欠点があった。
【０００５】
このような欠点を補うために、人工芝パイルの間に軟質粒体と硬質粒体を充填し、粒体から突き出したパイルを転圧などにより屈曲させることで、実質的に黒色のゴムチップに直射日光があたらないようにして粒体入り人工芝生の表面温度が上昇しにくいようにする方法も考えられるが、人工芝生の表面温度は、パイル自体が直射日光により温度上昇することによっても上昇するので、期待するほどの効果は得られない。また、全面的にパイルが倒れているので、人工芝生の表面が平坦となり、天然芝に近似した外観性を得ることはできない。
【０００６】
また、天然芝生に近似した外観を得るために、異なる色彩と高さ寸法を有する２種類のパイルを混植した人工芝生が提案されている。（たとえば、特許文献１参照）。しかしながら、前述のとおり人工芝生の表面温度の上昇を防ぐためには、特定の明度のパイルによって軟質粒体を覆う必要があり、異なる色彩や高さを有するパイルを混植するだけでは、人工芝生の温度上昇を防ぐことはできない。
【０００７】
【特許文献１】
特開平１０−２０４８１５号公報
【０００８】
【発明が解決しようとする課題】
本発明の目的は、従来技術の上述した問題点を解決し、人工芝生表面の温度の上昇が少なく、天然芝のような風合いを有し、軟質粒体の流出等を防止できて、衝撃吸収性や競技者の受ける感触の変化が少ない粒体入り人工芝生を提供することにある。
【０００９】
【課題を解決するための手段】
上記目的を達成するために、本発明は、素材および／または断面形状の異なる２種以上のパイルが基材に植設され、パイル間に硬質粒体と軟質粒体とが充填されており、前記パイルは充填された粒体から突き出しており、粒体から突き出した部分が湾曲あるいは屈曲しているパイルと直立状のパイルとが混在しており、かつ、前記湾曲あるいは屈曲しているパイルのＬ値が２５〜６０の範囲内にある粒体入り人工芝生を提供する。
【００１０】
上記において、屈曲あるいは湾曲しているパイルのＬ値は４０〜６０の範囲内にあることが好ましい。また、粒体から突き出しているパイルの長さは１０〜４０ｍｍであることが好ましい。また、湾曲あるいは屈曲しているパイルの、粒体から突き出している部分のパイル高さは、粒体から突き出している部分のパイル長さに対して６０％以下であることが好ましい。屈曲あるいは湾曲しているパイルの断面形状は扁平状であり、かつ、その厚みは６０〜１３０μｍであることが好ましく、その素材としてはポリエチレン系樹脂、ポリプロピレン系樹脂、塩化ビニリデン樹脂、またはそれらの混合物であることが好ましい。一方、直立状のパイルの素材はポリアミド系樹脂であることが好ましく、その表面には凹凸を有することが好ましい。
【００１１】
また、本発明は、粒体入り人工芝生の上部から加圧することにより、パイルを湾曲あるいは屈曲させる、粒体入り人工芝生の製造方法を提供する。
【００１２】
さらにまた、本発明は、上述の粒体入り人工芝生、または、上述の粒体入り人工芝生の製造方法によって製造された粒体入り人工芝生を敷設してなる運動施設を提供する。
【００１３】
【発明の実施の形態】
本発明の粒体入り人工芝生は、ポリプロピレン、ポリエチレン等のマルチフィラメント糸、またはスリットヤーン等の平織物等からなる基材に、素材および／または断面形状の異なる２種以上のパイルをタフティングなどの手段を用いて植設し、基材の裏面にゴム等の塗布層を設けてパイルを固定することにより、人工芝生を形成する。さらに、この人工芝生のパイル間に、珪砂などの硬質粒体と天然ゴムチップやエチレンプロピレンゴムチップ等の軟質粒体とを充填することにより衝撃吸収性を付与する。ここで、パイルは天然芝生に近似した外観を有し、かつ、表面温度の上昇を防止することを目的に、充填された粒体から突き出すように形成される。また、素材および／または断面形状の異なる２種以上のパイルを植設しているので、パイルの剛性や押圧時のパイルの回復性がパイルの種類により異なり、湾曲あるいは屈曲するパイルと、直立状のパイルとが混在する粒体入り人工芝生を得ることができる。このような２種類のパイルが同時に混在する構成とすることにより、天然芝生のような外観を有し、かつ、表面温度の上昇が少なく、更には、降雨などによる軟質粒体の流出が少なく、衝撃吸収性の変化の少ない粒体入り人工芝生を得ることができる。
【００１４】
更に本発明では、湾曲あるいは屈曲するパイルのＬ値を２５〜６０の範囲内に制限することによって、粒体入り人工芝生の表面温度の上昇を効果的に防止することが可能となる。湾曲あるいは屈曲したパイルのＬ値は粒体入り人工芝生の温度上昇に大きく影響する。Ｌ値が２５未満であった場合、人工芝生の温度が直射日光等により上昇し、これにより雰囲気温度も上昇するので競技者に疲労感を与えやすい。一方、Ｌ値があまりに高く６０を超えると、直射日光による照り返しにより競技しにくい環境となる。
【００１５】
上記において、更に好ましいＬ値の範囲としては４０〜６０である。このようにＬ値を制限することにより、温度上昇が極めて少なく、かつ、直射日光の照り返しの少ない粒体入り人工芝生を得ることができる。なお、本発明で言うＬ値とは、物体色の濃さを示す明度の指標であって、本発明では周知のカラーコンピューターを用いて、ハンター方式により測定された値である。
【００１６】
本発明の粒体入り人工芝生は、充填された粒体からパイルが突き出すように形成されているが、突き出した部分のパイルの長さは１０〜４０ｍｍの範囲内であることが好ましく、さらに好ましくは１５〜３０ｍｍの範囲内である。粒体から突き出した部分のパイル長さを上記範囲内とすることにより、パイルが粒体を覆うことで粒体に直射日光が当たりにくくなるため温度の上昇をより効果的に防止できるとともに、天然芝の様な外観を得ることができ、かつ、降雨時の粒体の流出や飛散を防止することができる。パイルの突き出し長さが１０ｍｍ未満であった場合、一部のパイルが屈曲したとしても、粒体の全面を充分に覆うことができない場合があり、実質的に直射日光がゴムチップなどの照射され、表面温度が上昇することがある。また、粒体を保持することができず粒体の流出などにより衝撃吸収性が低下することがあるので好ましくない。突き出し長さがあまり長いと天然芝の様な外観が得られにくく好ましくない。なお、本発明の突き出した部分のパイル長さは、パイルを伸張させた状態で粒体層の最表面からパイルの最先端までのパイル長さを定規にて測定することにより得られる。
【００１７】
また、湾曲あるいは屈曲しているパイルの粒体から突き出した部分ののパイルの高さは、粒体から突き出した部分のパイル長さに対して６０％以下となるように屈曲、あるいは湾曲していることが好ましく、さらに好ましくは４０％以下である。このような特定の範囲にパイルが屈曲あるいは湾曲していることにより、粒体の表面を充分に覆うことができ、人工芝生の表面温度の上昇を防止するのに効果的である。また、屈曲または湾曲したパイルが雨水などによる軟質粒体の流出を防止し、衝撃吸収性の変化の少ない粒体入り人工芝生を得ることができる。上記のパイル高さが６０％を超えると、粒体の表面を充分に覆うことができず、人工芝生の表面温度が上昇することがある。また、パイル高さの下限に関しては特に規定する必要はなく、実質的にパイルの先端が粒体に接触したとしても問題はないが、粒体から突き出した部分のパイル長さに対して３％以上あることが好ましい。なお、本発明の粒体から突き出した部分のパイル高さは以下の方法によって求められる。
【００１８】
粒体層の最表面から、屈曲あるいは湾曲しているパイルの最先端までのパイル高さを定規にてランダムに５カ所測定し、この平均値Ａｍｍを算出する。次に、先に測定した５カ所の屈曲あるいは湾曲しているパイルを伸張させた状態で粒体層の最表面からパイルの最先端までのパイル長さを定規にて測定し、この平均値Ｂｍｍを算出する。測定された値から次式によりパイル長さに対するパイル高さ（％）が算出される。
【００１９】
パイル長さに対するパイル高さ（％）＝  Ａ（ｍｍ）  ／  Ｂ（ｍｍ）
本発明の湾曲あるいは屈曲しているパイルの断面形状は扁平状であって、かつ、厚みが６０〜１３０μｍの範囲内にあることが好ましい。断面形状を扁平状にし、かつ、厚みを６０〜１３０μｍに調整することによって、パイルを基材に植設した後に、上部からの押し圧等によりパイルが容易に湾曲あるいは屈曲する。パイルの断面形状が円形であったり表面に凹凸を有するような形状である場合、パイルの剛性が高くなり、上部から押し圧などを与えられたとしても、屈曲や湾曲せず直立状となることがあるので好ましくない。また、パイルの厚みが１３０μｍを超える場合においても同様に、直立することがあるので好ましくない。一方、パイルの厚みが６０μｍ未満であった場合、競技時のスパイクによる摩耗や衝撃によって、パイルが摩耗し劣化するおそれがあるので好ましくない。
【００２０】
屈曲あるいは湾曲しているパイルの素材としては、ポリエチレン系樹脂、ポリプロピレン系樹脂、塩化ビニリデン樹脂、またはそれらの混合物であることが好ましい。これらの素材は、一般的な樹脂の中でも比較的剛性の低い樹脂であり、このような素材を用いることによって、容易にパイルが湾曲する。
【００２１】
また、直立状のパイルの素材としては、ポリアミド系樹脂が好ましい。上述のポリエチレンやポリプロピレンに比べ、剛性の高いポリアミド系樹脂を用いることによって、上部から押し圧などを与えられたとしても、パイルが直立状を維持し、天然芝生に近似した外観を得ることができる。
【００２２】
上述の直立状のパイルの表面に凹凸を設けることにより、パイルの剛性を更に高めることができ、直立状を維持することができるため好ましい。さらには、日光が当たった時の光をパイル表面にて乱反射させ、日光の照り返しを防止し、天然芝に近似した風合いを得ることができる。
【００２３】
本発明の粒体入り人工芝生は、人工芝生の上部からの加圧によって一部のパイルを屈曲あるいは湾曲させ、効率的に製造することができる。加圧する方法については特に限定されるものではないが、押し圧や転圧、または競技者の踏み圧、さらにはこれらの加圧と同時にパイルを加熱するなどの方法によって、効率的に製造することができる。
【００２４】
本発明での軟質粒体は、特に制限されるものではないが、衝撃吸収性の点から、弾性を有し、繰り返し衝撃を受けても初期の形状を保ちやすく、しかも、粒体入り人工芝生に優れた衝撃吸収性を与えることができるゴムチップを用いるのが好ましい。ゴムチップの素材としては、天然ゴム、エチレンプロピレンゴム、スチレンブタジエンゴム、クロロプレンゴム、ブチルゴム、イソプレンゴム、エチレンプロピレンターポリマーゴム、シリコーンゴム、クロロスルフフォン化ポリエチレンゴム等を用いることができる。
【００２５】
本発明の粒体入り人工芝生は、天然芝生のような風合いを有し、しかも、長時間の使用でも競技者に疲労感を与えにくいことから、テニス、サッカー、野球、ラグビー、ホッケー、フットサル、アメリカンフットボール、陸上競技等の運動施設に敷設して用いるのに特に好適である。
【００２６】
【実施例】
実施例により、本発明を更に詳細に説明する。以下に示す実施例および比較例において、パイルのＬ値、人工芝生の表面温度、風合い、軟質粒体の流出性、初期の衝撃吸収性、散水後の衝撃吸収性は、次のようにして評価した。
パイルのＬ値：
スガ試験機株式会社製ＳＭカラーコンピューター（型式：ＳＭ−４−２型）を用い、ハンター方式によりパイル糸のＬ値を測定した。
粒体入り人工芝生の表面温度：
熱電対を人工芝生に充填された粒体の層の最表面から２ｍｍの深さの部位に差し込み、晴天時の日中における温度を１１時から１７時まで記録し、最高温度を測定した。
風合いの評価：
１０人のパネラーに、粒体入り人工芝生の外観、手触り、踏み心地について以下の基準で点数付けをしてもらい、１０人の単純平均値で評価した。平均値が高いほど風合いに優れていることになる。
【００２７】
３点：天然芝に非常に近い
２点：天然芝との比較においてやや違和感を感じる
１点：天然芝とは大きく異なる
軟質粒体の流出性の評価：
粒体入り人工芝生を３０ｃｍ角に切り取り、傾斜３°のアスファルトコンクリート上に敷設し、１ｍの高さから満水時の水量が３リットルの如雨露を用いて散水する。この作業を繰り返し５０回行い、軟質粒体の流出の程度を目視にて観察し、以下の基準で評価した。
【００２８】
◎：流出はほとんど認められない
○：若干の流出が認められる
△：流出が認められるが、減少の程度までは確認できない
×：大量に流出し、減少を明確に確認できる
初期の衝撃吸収性の評価：
近畿地方建設局近畿技術事務所発行に係る「簡易支持力測定器による試験方法」（１９９６年５月１５日）に記載される地盤支持力の測定方法に準拠し、（株）マルイ社製簡易支持力測定機「商標名：キャスポル」を用いて、加速度計を内蔵した、重量４．５ｋｇ、外形５０ｍｍの鋼製の円筒形のランマー（重錘）を４５ｃｍの高さから自由落下させ、ランマーが地盤に衝突したときの加速度の最大値であるＩａ値を測定する。なお、Ｉａ値が小さいほど、衝撃吸収性に優れているといえる。
散水後の衝撃吸収性の評価：
粒体入り人工芝生を３０ｃｍ角に切り取り、傾斜３°のアスファルトコンクリート上に敷設し、１ｍの高さから満水時の水量が３リットルの如雨露を用いて散水する作業を繰り返し５０回行った後、屋外に４８時間以上放置して乾燥させ、初期の衝撃吸収性の評価と同様にしてＩａ値を測定することによって評価した。Ｉａ値が小さく、初期のＩａ値に近いほど衝撃吸収性に優れ、かつ、降雨による衝撃吸収性の変化が少ないことを示している。
（実施例１）
ポリプロピレンフィルム製スリットヤーン（厚み：１３０μｍ、幅１ｍｍ）からなる織密度が２４本／２５．４ｍｍの平織物に、ポリエチレンテレフタレート製不織布（目付：９０ｇ／ｍ２）をニードルパンチによって一体化し、さらにその不織布側の面に上述の平織物を重ね合わせ、基材を得た。一方、単糸数１６本、繊度が４６０ｄｔｅｘであり、かつ表面に凹凸を有するナイロン６６糸と、ポリエチレン製フィルムスプリットヤーン（Ｌ値４８、扁平断面、厚み：１１０μｍ、幅６ｍｍ）を撚糸機を用いて撚り合わせ、パイル糸を得た。
【００２９】
次に、上記基材に上記パイル糸をゲージ１５．９ｍｍでタフティングし、基材の裏面にスチレンブタジエンゴムを塗布、乾燥してパイル糸を固定し、基材の表面からパイルの先端までの長さ、すなわちパイル長が６０ｍｍの人工芝生を得た。パイル糸の目付は１，３３０ｇ／ｍ２であった。
【００３０】
この人工芝生をアスファルトコンクリート上に敷設し、硬質粒体として、珪砂を１ｍ２あたり１７ｋｇの重量でパイルの隙間に充填した。次に、軟質粒体として天然ゴムチップを、１ｍ２あたり１７ｋｇの重量でパイルの隙間に充填した。
【００３１】
さらに、幅３０ｃｍ、重量２０ｋｇのローラーを用いて、人工芝生の上部から繰り返し５０回転圧を行い、パイルを湾曲させた。このようにして得られた粒体入り人工芝生の粒体から突き出した部分のパイル長さは２１ｍｍ、屈曲したパイルのパイル長さに対するパイル高さは３５％であった。
【００３２】
得られた粒体入り人工芝生について、人工芝生の表面温度、風合い、軟質粒体の流出性、初期の衝撃吸収性、散水後の衝撃吸収性を評価したところ、以下のとおりであった。
【００３３】
2004300712.tif 000002
（実施例２）
実施例１において、パイル糸として用いたポリエチレン製フィルムスプリットヤーンを、Ｌ値が４２のポリエチレン製フィルムスプリットヤーン（扁平断面、厚み：１１０μｍ、幅６ｍｍ）に変更した。得られた粒体入り人工芝生の粒体から突き出した部分のパイル長さは２１ｍｍ、屈曲したパイルのパイル長さに対するパイル高さは３３％であった。得られた粒体入り人工芝生について実施例１と同様の評価をした結果を以下に示す。
【００３４】
2004300712.tif 000003
（実施例３）
実施例１において、パイル糸として用いたポリエチレン製フィルムスプリットヤーンを、Ｌ値が３５のポリエチレン製フィルムスプリットヤーン（扁平断面、厚み：１１０μｍ、幅６ｍｍ）に変更した。得られた粒体入り人工芝生の粒体から突き出した部分のパイル長さは２０ｍｍ、屈曲したパイルのパイル長さに対するパイル高さは３８％であった。得られた粒体入り人工芝生について実施例１と同様の評価をした結果を以下に示す。
【００３５】
2004300712.tif 000004
（実施例４）
実施例２において、粒体を充填した後の転圧回数を２０回に変更し粒体入り人工芝生を得た。得られた粒体入り人工芝生の粒体から突き出した部分のパイル長さは２１ｍｍ、屈曲したパイルのパイル長さに対するパイル高さは７３％であった。得られた粒体入り人工芝生について実施例１と同様の評価をした結果を以下に示す。
【００３６】
2004300712.tif 000005
（比較例１）
実施例１において、パイル糸として用いたポリエチレン製フィルムスプリットヤーンを、Ｌ値が２２のポリエチレン製フィルムスプリットヤーン（扁平断面、厚み：１１０μｍ、幅６ｍｍ）に変更した。得られた粒体入り人工芝生の粒体から突き出した部分のパイル長さは２０ｍｍ、屈曲したパイルのパイル長さに対するパイル高さは３４％であった。得られた粒体入り人工芝生について実施例１と同様の評価をした結果を以下に示す。
【００３７】
2004300712.tif 000006
（比較例２）
パイル糸として単糸数１６本、繊度が４６０ｄｔｅｘであり、かつ表面に凹凸を有するナイロン６６糸を撚糸機を用いて２本撚り合わせたものを用いた。このパイル糸を用いて実施例１と同様にして粒体入り人工芝生を得た。得られた粒体入り人工芝生の粒体から突き出した部分のパイル長さは２０ｍｍ、実質的に屈曲したパイルはなく、直立状のパイルのみであった。得られた粒体入り人工芝生について実施例１と同様の評価をした結果を以下に示す。
【００３８】
2004300712.tif 000007
（比較例３）
パイル糸にポリエチレン製フィルムスプリットヤーン（Ｌ値４２、扁平断面、厚み：１１０μｍ、幅６ｍｍ）を撚糸機を用いて２本撚り合わたものを用いた。このパイル糸を用いて、実施例１と同様にして粒体入り人工芝生を得た。得られた粒体入り人工芝生の粒体から突き出した部分のパイル長さは２０ｍｍ、屈曲したパイルのパイル長さに対するパイル高さは１８％であり、直立状のパイルは確認できなかった。得られた粒体入り人工芝生について実施例１と同様の評価をした結果を以下に示す。
【００３９】
2004300712.tif 000008
上記実施例と比較例との対比から明らかなように、本発明の粒体入り人工芝生は、人工芝生表面の温度上昇が少なく、天然芝に近似した良好な風合いを有し、かつ、軟質粒体の流出が少なく、衝撃吸収性の変化が少ない。
【００４０】
【発明の効果】
本発明の粒体入り人工芝生は、実施例と比較例との対比からも明らかなように、素材および／または断面形状の異なる２種以上のパイル糸が基材に植設され、パイル間に硬質粒体と軟質粒体とが充填されており、前記パイルは充填された粒体から突き出しており、粒体から突き出した部分が湾曲あるいは屈曲しているパイルと直立状のパイルとが混在しており、かつ、前記湾曲あるいは屈曲しているパイルのＬ値が２５〜６０であるから、天然芝のような風合いを有し、人工芝表面の温度の上昇が少なく、かつ、優れた衝撃吸収性を得ることができるとともに、軟質粒体の流出等を防止できて、衝撃吸収性の低下が少なく、競技者の受ける感触の変化が少ない。そのため、本発明の粒体入り人工芝生は、競技者が激しい運動を行うテニス、サッカー、野球、ラグビー、ホッケー、フットサル、アメリカンフットボール、陸上競技等の運動施設に敷設して用いるのに特に好適である。